【手続補正書】
【提出日】平成27年9月3日(2015.9.3)
【手続補正１】
【補正対象書類名】明細書
【補正対象項目名】発明の名称
【補正方法】変更
【補正の内容】
【発明の名称】積層構造体
【手続補正２】
【補正対象書類名】明細書
【補正対象項目名】０００１
【補正方法】変更
【補正の内容】
【０００１】
本発明は、積層構造体に関する。
【手続補正３】
【補正対象書類名】明細書
【補正対象項目名】０００５
【補正方法】変更
【補正の内容】
【０００５】
本発明は、上記事実を考慮して、波板部の波長方向の荷重に対する曲げ剛性を向上させることができる積層構造体を得ることが目的である。
【手続補正４】
【補正対象書類名】明細書
【補正対象項目名】０００６
【補正方法】変更
【補正の内容】
【０００６】
請求項１に記載する本発明の積層構造体は、繊維強化樹脂材で成形された波板部の起伏を形成する第一壁部と、前記波板部における波高方向の上下端部を構成して前記第一壁部に曲げ部を介して接続された第二壁部と、を備えたパネル部材を有し、前記第二壁部は、前記波板部の波長方向に延びる一般部を備え、前記一般部に配置された強化繊維の配向方向が前記波板部の波長方向に沿う方向に設定され、前記波板部における波高方向に互いに対向配置されたアッパーパネルとロアパネルとの間に前記パネル部材が挟み込まれており、前記アッパーパネル及び前記ロアパネルは前記パネル部材にそれぞれ接合されると共に前記パネル部材とで閉断面部をそれぞれ形成している。
【手続補正５】
【補正対象書類名】明細書
【補正対象項目名】０００７
【補正方法】変更
【補正の内容】
【０００７】
上記構成によれば、パネル部材は、繊維強化樹脂材で成形された波板部を有し、波板部の起伏が第一壁部により形成されている。また、波板部における波高方向の上下端部は、第二壁部により構成され、第二壁部は、第一壁部に曲げ部を介して接続されている。ここで、第二壁部は波板部の波長方向に延びる一般部を備え、一般部に配置された強化繊維の配向方向は、波板部の波長方向に沿う方向に設定されている。さらに、本発明の積層構造体では、波板部における波高方向に互いに対向配置されたアッパーパネルとロアパネルとの間にパネル部材が挟み込まれており、アッパーパネル及びロアパネルはパネル部材にそれぞれ接合されると共にパネル部材とで閉断面部をそれぞれ形成している。このため、パネル部材を含んで構成された積層構造体は、波板部の波長方向の荷重が入力された場合に曲げ変形しにくい。
【手続補正６】
【補正対象書類名】明細書
【補正対象項目名】０００８
【補正方法】変更
【補正の内容】
【０００８】
請求項２に記載する本発明の積層構造体は、請求項１記載の構成において、前記一般部は、少なくとも強化繊維よりも大径の気泡を含有していない。
【手続補正７】
【補正対象書類名】明細書
【補正対象項目名】００１０
【補正方法】変更
【補正の内容】
【００１０】
請求項３に記載する本発明の積層構造体は、請求項１又は請求項２に記載の構成において、前記曲げ部が湾曲状に形成されて前記第一壁部と同等の板厚に設定され、前記第二壁部における前記曲げ部の側の端部には、前記曲げ部から離間するに従って板厚が漸次縮小された徐変部が形成されている。
【手続補正８】
【補正対象書類名】明細書
【補正対象項目名】００１２
【補正方法】変更
【補正の内容】
【００１２】
請求項４に記載する本発明の積層構造体は、請求項１又は請求項２に記載の構成において、前記曲げ部が湾曲状に形成されて前記第二壁部と同等の板厚に設定され、前記第一壁部における前記曲げ部の側の端部には、前記曲げ部から離間するに従って板厚が漸次拡大された徐変部が形成されている。
【手続補正９】
【補正対象書類名】明細書
【補正対象項目名】００１４
【補正方法】変更
【補正の内容】
【００１４】
請求項５に記載する本発明の積層構造体は、請求項１〜請求項４のいずれか１項に記載の構成において、前記曲げ部から前記第一壁部の側とは反対側に延出部が延出すると共に前記延出部が当該曲げ部と一体に形成されている。
【手続補正１０】
【補正対象書類名】明細書
【補正対象項目名】００１５
【補正方法】変更
【補正の内容】
【００１５】
上記構成によれば、曲げ部から第一壁部の側とは反対側に延出部が延出すると共に延出部が当該曲げ部と一体に形成されているので、曲げ部に連続する第二壁部には、曲げ部を内反りさせようとする力と、第二壁部から延出部に至るＬ字状部分を内反りさせようとする力とが作用し、これらは、互いにキャンセルし合う。これにより、曲げ部の内反りが抑制される。
請求項６に記載する本発明の積層構造体は、請求項１〜請求項５のいずれか１項に記載の構成において、前記一般部は前記第一壁部よりも密度が高い。
上記構成によれば、波板部の波長方向の荷重に対する一般部の曲げ強度及び曲げ剛性が向上するため、一般部は波板部の波長方向の荷重に対して座屈しにくい。
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】変更
【補正の内容】
【００２０】
以上説明したように、本発明に係る請求項１に記載の積層構造体によれば、波板部の波長方向の荷重に対する曲げ剛性を向上させることができるという優れた効果を有する。
【手続補正１６】
【補正対象書類名】明細書
【補正対象項目名】００２１
【補正方法】変更
【補正の内容】
【００２１】
請求項２に記載の積層構造体によれば、波板部の波長方向の荷重に対する曲げ剛性を一層向上させることができるという優れた効果を有する。
【手続補正１７】
【補正対象書類名】明細書
【補正対象項目名】００２２
【補正方法】変更
【補正の内容】
【００２２】
請求項３に記載の積層構造体によれば、第二壁部が局所的に弱体化されるのを抑えながら、波板部の波高方向の一方側から他方側へ荷重が伝達される場合において荷重を良好に伝達させることができるという優れた効果を有する。
【手続補正１８】
【補正対象書類名】明細書
【補正対象項目名】００２３
【補正方法】変更
【補正の内容】
【００２３】
請求項４に記載の積層構造体によれば、第一壁部が局所的に弱体化されるのを抑えながら、強化繊維の配向によって波板部の波長方向の荷重に対する曲げ部の曲げ剛性の向上を図ることができるという優れた効果を有する。
【手続補正１９】
【補正対象書類名】明細書
【補正対象項目名】００２４
【補正方法】変更
【補正の内容】
【００２４】
請求項５に記載の積層構造体によれば、第一壁部と第二壁部とを接続する曲げ部の内反りを抑えることができるという優れた効果を有する。
請求項６に記載の積層構造体によれば、波板部の波長方向の荷重に対して一般部を座屈しにくくすることができるという優れた効果を有する。
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】変更
【補正の内容】
【００２７】
【図１】本発明の第１の実施形態に係るパネル部材を含む積層構造体を示す斜視図である。
【図２】図１のパネル部材を示す斜視図である。
【図３】図２の３−３線に沿った拡大断面図である。
【図４】図１の横壁部の一般部を斜め上方側から見た状態で強化繊維の配向方向を模式的に示す斜視図である。
【図５】図５（Ａ）は横壁部の一般部となる部位の第二工程直前の断面状態を模式化して示す縦断面図である。図５（Ｂ）は横壁部の一般部の断面状態を模式化して示す縦断面図である。
【図６】図１のパネル部材の製造方法を示す図である。図６（Ａ）は第一工程の初期を示す。図６（Ｂ）は第一工程の中期を示す。図６（Ｃ）は第二工程を示す。
【図７】本発明の第２の実施形態に係るパネル部材を波板部の波長方向に沿って切断した状態で示す断面図である。
【図８】本発明の第３の実施形態に係るパネル部材を波板部の波長方向に沿って切断した状態で示す断面図である。
【図９】本発明の第４の実施形態に係るパネル部材を含む積層構造体を示す斜視図である。
【図１０】図９のパネル部材を示す斜視図である。
【図１１】図９の１１−１１線に沿った拡大断面図である。
【図１２】第４の実施形態のパネル部材の変形例を波板部の波長方向に沿って切断した状態で示す断面図である。
【図１３】本発明の第５の実施形態に係るパネル部材を含む積層構造体を波板部の波長方向に沿って切断した状態で示す断面図である。
【手続補正２３】
【補正対象書類名】明細書
【補正対象項目名】００４６
【補正方法】変更
【補正の内容】
【００４６】
［第２実施形態］
次に、本発明の第２の実施形態について図７を用いて説明する。図７には、図１に示される第１の実施形態の積層構造体１０のパネル部材２０に代えて配置可能なパネル部材５０が断面図（第１の実施形態における図３に相当する図）で示されている。この図に示されるように、パネル部材５０は、曲げ部５４を徐変部分とせずに横壁部５６に徐変部５６Ｂを設けている点で、第１の実施形態に係るパネル部材２０（図３等参照）とは異なる。他の構成は、第１の実施形態と実質的に同様の構成となっている。よって、第１の実施形態と実質的に同様の構成部については、同一符号を付して説明を省略する。
【手続補正２４】
【補正対象書類名】明細書
【補正対象項目名】００５４
【補正方法】変更
【補正の内容】
【００５４】
［第３実施形態］
次に、本発明の第３の実施形態について図８を用いて説明する。図８には、図１に示される第１の実施形態の積層構造体１０のパネル部材２０に代えて配置可能なパネル部材６０が断面図（第１の実施形態における図３に相当する図）で示されている。この図に示されるように、パネル部材６０は、曲げ部６６を徐変部分とせずに立壁部６４に徐変部６４Ｂを設けている点で、第１の実施形態に係るパネル部材２０（図３等参照）とは異なる。他の構成は、第１の実施形態と実質的に同様の構成となっている。よって、第１の実施形態と実質的に同様の構成部については、同一符号を付して説明を省略する。
【手続補正２５】
【補正対象書類名】明細書
【補正対象項目名】００６７
【補正方法】変更
【補正の内容】
【００６７】
［第４実施形態のパネル部材の変形例］
次に、第４の実施形態のパネル部材７２の変形例について説明する。図１２には、第４の実施形態のパネル部材７２の変形例が示されている。なお、パネル部材７２と同様の構成部については、同一符号を付して説明を省略する。
【手続補正２６】
【補正対象書類名】明細書
【補正対象項目名】００７０
【補正方法】変更
【補正の内容】
【００７０】
［第５実施形態］
次に、本発明の第５の実施形態について図１３を用いて説明する。図１３には、本実施形態に係るパネル部材９０を含む積層構造体８８が波板部２２の波長方向（矢印Ｗ方向）に沿って切断した状態の断面図（第４の実施形態の図１１に相当する図）で示されている。なお、本実施形態は、以下に説明する点を除き、第４の実施形態と実質的に同様の構成となっている。このため、本実施形態において、第１、第４の実施形態と実質的に同様の構成部については、同一符号を付して説明を省略する。
【手続補正２７】
【補正対象書類名】明細書
【補正対象項目名】００７９
【補正方法】変更
【補正の内容】
【００７９】
［実施形態の補足説明］
なお、本発明の実施形態ではない参考例として、パネル部材は、例えば、波板部の波長方向に沿って切断した断面形状がハット形状に形成されたパネル部材であってもよい。
【手続補正２８】
【補正対象書類名】明細書
【補正対象項目名】００８０
【補正方法】変更
【補正の内容】
【００８０】
また、本発明の実施形態ではない参考例として、パネル部材には、上記実施形態のアッパーパネル１２及びロアパネル１４、１６のいずれか一方又は両方が接合されていなくてもよい。
【手続補正２９】
【補正対象書類名】明細書
【補正対象項目名】００８５
【補正方法】変更
【補正の内容】
【００８５】
１０    積層構造体
１２    アッパーパネル
１４    ロアパネル
１６    ロアパネル
１８Ａ  閉断面部
１８Ｂ  閉断面部
２０    パネル部材
２２    波板部
２４    立壁部（第一壁部）
２６    曲げ部
２８    横壁部（第二壁部）
２８Ａ  一般部
３０    強化繊維
３２    繊維強化樹脂材
３４    プレス型
３６    下型
３８    第一成形面
４０    上型
４２    第二成形面
５０    パネル部材
５２    波板部
５４    曲げ部
５６    横壁部（第二壁部）
５６Ａ  一般部
５６Ｂ  徐変部
６０    パネル部材
６２    波板部
６４    立壁部（第一壁部）
６４Ａ  一般部
６４Ｂ  徐変部
６６    曲げ部
７０    積層構造体
７２    パネル部材
７８    延出部
８０    パネル部材
８２    延出部
８８    積層構造体
９０    パネル部材
９２    下壁部（第二壁部）
９２Ａ  一般部
Ｈ      波高方向
Ｗ      波長方向
【手続補正３０】
【補正対象書類名】特許請求の範囲
【補正対象項目名】全文
【補正方法】変更
【補正の内容】
【特許請求の範囲】
【請求項１】
繊維強化樹脂材で成形された波板部の起伏を形成する第一壁部と、前記波板部における波高方向の上下端部を構成して前記第一壁部に曲げ部を介して接続された第二壁部と、を備えたパネル部材を有し、
前記第二壁部は、前記波板部の波長方向に延びる一般部を備え、
前記一般部に配置された強化繊維の配向方向が前記波板部の波長方向に沿う方向に設定され、
前記波板部における波高方向に互いに対向配置されたアッパーパネルとロアパネルとの間に前記パネル部材が挟み込まれており、前記アッパーパネル及び前記ロアパネルは前記パネル部材にそれぞれ接合されると共に前記パネル部材とで閉断面部をそれぞれ形成している、積層構造体。
【請求項２】
前記一般部は、少なくとも強化繊維よりも大径の気泡を含有していない、請求項１記載の積層構造体。
【請求項３】
前記曲げ部が湾曲状に形成されて前記第一壁部と同等の板厚に設定され、
前記第二壁部における前記曲げ部の側の端部には、前記曲げ部から離間するに従って板厚が漸次縮小された徐変部が形成されている、請求項１又は請求項２に記載の積層構造体。
【請求項４】
前記曲げ部が湾曲状に形成されて前記第二壁部と同等の板厚に設定され、
前記第一壁部における前記曲げ部の側の端部には、前記曲げ部から離間するに従って板厚が漸次拡大された徐変部が形成されている、請求項１又は請求項２に記載の積層構造体。
【請求項５】
前記曲げ部から前記第一壁部の側とは反対側に延出部が延出すると共に前記延出部が当該曲げ部と一体に形成されている、請求項１〜請求項４のいずれか１項に記載の積層構造体。
【請求項６】
前記一般部は前記第一壁部よりも密度が高い、請求項１〜請求項５のいずれか１項に記載の積層構造体。
【手続補正３１】
【補正対象書類名】図面
【補正対象項目名】図１３
【補正方法】変更
【補正の内容】
【図１３】
2015180547.tif 000001